【手続補正書】
【提出日】平成18年7月13日(2006.7.13)
【手続補正１】
【補正対象書類名】明細書
【補正対象項目名】特許請求の範囲
【補正方法】変更
【補正の内容】
【特許請求の範囲】
【請求項１】
物体側より順に、正の屈折力の第１レンズ群、変倍作用を有する負の屈折力の第２レンズ群、変倍に伴う像面の変動を補正する第３レンズ群、変倍時に固定の正の屈折力の第４レンズ群からなるズームレンズにおいて、
該第２レンズ群は光軸方向に分散が変化する媒質からなるレンズＧａを有していることを特徴とするズームレンズ。
【請求項２】
広角端と望遠端のズーム位置において、軸上光線が前記レンズＧａに入射するときの入射高を各々ｈａｗ、ｈａｔとするとき、
ｈａｔ／ｈａｗ＞２
なる条件を満たすことを特徴とする請求項１に記載のズームレンズ。
【請求項３】
前記レンズＧａの物体側のレンズ面の面頂点からの光軸方向の位置をｘ、任意の２波長を各々λａ１、λａ２、該波長λａ１、波長λａ２における該レンズＧａの媒質の屈折率を各々Ｎａ１（ｘ）、Ｎａ２（ｘ）とするとき、
λａ１／λａ２＞１．１
ｍａｘ｛Ｎａ２（ｘ）−Ｎａ１（ｘ）｝−ｍｉｎ｛Ｎａ２（ｘ）−Ｎａ１（ｘ）｝＞０．０００１
なる条件を満たすことを特徴とする請求項１又は２に記載のズームレンズ。
【請求項４】
前記レンズＧａの物体側のレンズ面の曲率半径をｒａＧ１、該レンズＧａの物体側のレンズ面の有効径をｅａＧ１、該レンズＧａの像側のレンズ面の曲率半径をｒａＧ２、該レンズＧａの像側のレンズ面の有効径をｅａＧ２とするとき、
【数１】
2005043630.tif 000001
なる条件を満たすことを特徴とする請求項１、２又は３に記載のズームレンズ。
【請求項５】
前記レンズＧａは負レンズであることを特徴とする請求項１乃至４の何れか１項に記載のズームレンズ。
【請求項６】
軸上光線が前記レンズＧａに入射するとき入射高の最大値をｈａｍａｘとするとき、
ｈａｍａｘ／ｈａｔ＞１．０５
なる条件を満たすことを特徴とする請求項２に記載のズームレンズ。
【請求項７】
物体側より順に、正の屈折力の第１レンズ群、変倍作用を有する負の屈折力の第２レンズ群、変倍に伴う像面の変動を補正する第３レンズ群、変倍時に固定の正の屈折力の第４レンズ群からなるズームレンズにおいて、
該第２レンズ群は光軸方向に分散が変化する媒質からなるレンズＧｂを有しており、広角端と望遠端のズーム位置において、軸外主光線が該レンズＧｂに入射するときの入射高を各々ｈｂｗ、ｈｂｔとするとき、
ｈｂｗ／ｈｂｔ＞２
なる条件を満たすことを特徴とするズームレンズ。
【請求項８】
前記レンズＧｂの物体側のレンズ面の面頂点からの光軸方向の位置をｘ、任意の２波長を各々λｂ１、λｂ２、該波長λｂ１、波長λｂ２における該レンズＧｂの媒質の屈折率を各々Ｎｂ１（ｘ）、Ｎｂ２（ｘ）とするとき、
λｂ１／λｂ２＞１．１
ｍａｘ｛Ｎｂ２（ｘ）−Ｎｂ１（ｘ）｝−ｍｉｎ｛Ｎｂ２（ｘ）−Ｎｂ１（ｘ）｝＞０．０００１
なる条件を満たすことを特徴とする請求項７に記載のズームレンズ。
【請求項９】
前記レンズＧｂの物体側のレンズ面の曲率半径をｒｂＧ１、該レンズＧｂの物体側のレンズ面の有効径をｅｂＧ１、該レンズＧｂの像側のレンズ面の曲率半径をｒｂＧ２、該レンズＧｂの像側のレンズ面の有効径をｅｂＧ２とするとき、
【数２】
2005043630.tif 000002
なる条件を満たすことを特徴とする請求項７又は８に記載のズームレンズ。
【請求項１０】
前記レンズＧｂは負レンズであることを特徴とする請求項７、８又は９に記載のズームレンズ。
【請求項１１】
前記ズームレンズの変倍比をＺとし、広角端のズーム位置から該変倍比Ｚ１／４のズーム位置において、軸外主光線が前記レンズＧｂに入射するときの入射高をｈｂｚとするとき、
ｈｂｗ／ｈｂｚ＞１．１
なる条件を満たすことを特徴とする請求項７乃至１０の何れか１項に記載のズームレンズ。
【請求項１２】
物体側より順に、正の屈折力の第１レンズ群、変倍作用を有する負の屈折力の第２レンズ群、変倍に伴う像面の変動を補正する第３レンズ群、変倍時に固定の正の屈折力の第４レンズ群からなるズームレンズにおいて、
該第１レンズ群は光軸方向に分散が変化する媒質からなるレンズＧｃを有していることを特徴とするズームレンズ。
【請求項１３】
広角端と望遠端のズーム位置において、軸上光線が前記レンズＧｃに入射するときの入射高を各々ｈｃｗ、ｈｃｔとするとき、
ｈｃｔ／ｈｃｗ＞８
なる条件を満たすことを特徴とする請求項１２に記載のズームレンズ。
【請求項１４】
前記レンズＧｃの物体側のレンズ面の面頂点からの光軸方向の位置をｘ、任意の２波長を各々λｃ１、λｃ２、該波長λｃ１、波長λｃ２における該レンズＧｃの媒質の屈折率を各々Ｎｃ１（ｘ）、Ｎｃ２（ｘ）とするとき、
λ１／λ２＞１．１
ｍａｘ｛Ｎｃ２（ｘ）−Ｎｃ１（ｘ）｝−ｍｉｎ｛Ｎｃ２（ｘ）−Ｎｃ１（ｘ）｝＞０．０００１
なる条件を満たすことを特徴とする請求項１２又は１３に記載のズームレンズ。
【請求項１５】
前記レンズＧｃの物体側のレンズ面の曲率半径をｒｃＧ１、該レンズＧｃの物体側のレンズ面の有効径をｅｃＧ１、該レンズＧｃの像側のレンズ面の曲率半径をｒｃＧ２、該レンズＧｃの像側のレンズ面の有効径をｅｃＧ２とするとき、
【数３】
2005043630.tif 000003
なる条件を満たすことを特徴とする請求項１２、１３又は１４に記載のズームレンズ。
【請求項１６】
物体側より順に、正の屈折力の第１レンズ群、変倍作用を有する負の屈折力の第２レンズ群、変倍に伴う像面の変動を補正する第３レンズ群、変倍時に固定の正の屈折力の第４レンズ群からなるズームレンズにおいて、
該第１レンズ群は光軸方向に分散が変化する媒質からなるレンズＧｄを有しており、広角端と望遠端のズーム位置において、軸外主光線が該レンズＧｄに入射するときの入射高を各々ｈｄｗ、ｈｄｔとするとき、
ｈｄｗ／ｈｄｔ＞１
なる条件を満たすことを特徴とするズームレンズ。
【請求項１７】
前記レンズＧｄの物体側のレンズ面の面頂点からの光軸方向の位置をｘ、任意の２波長を各々λ１、λ２、該波長λ１、波長λ２における該レンズＧｄの媒質の屈折率を各々Ｎｄ１（ｘ）、Ｎｄ２（ｘ）とするとき、
λ１／λ２＞１．１
ｍａｘ｛Ｎｄ２（ｘ）−Ｎｄ１（ｘ）｝−ｍｉｎ｛Ｎｄ２（ｘ）−Ｎｄ１（ｘ）｝＞０．０００１
なる条件を満たすことを特徴とする請求項１６に記載のズームレンズ。
【請求項１８】
前記レンズＧｄの物体側のレンズ面の曲率半径をｒｄＧ１、該レンズＧｄの物体側のレンズ面の有効径をｅｄＧ１、該レンズＧｄの像側のレンズ面の曲率半径をｒｄＧ２、該レンズＧｄの像側のレンズ面の有効径をｅｄＧ２とするとき、
【数４】
2005043630.tif 000004
なる条件を満たすことを特徴とする請求項１６又は１７に記載のズームレンズ。
【請求項１９】
軸外主光線が前記レンズＧｄに入射するときの入射高の最大値をｈｄｍａｘとするとき、
ｈｄｍａｘ／ｈｄｗ＞１
なる条件を満たすことを特徴とする請求項１６、１７又は１８に記載のズームレンズ。
【請求項２０】
物体側より順に、正の屈折力の第１レンズ群、変倍作用を有する負の屈折力の第２レンズ群、変倍に伴う像面の変動を補正する第３レンズ群、変倍時に固定の正の屈折力の第４レンズ群からなるズームレンズにおいて、
該第３レンズ群は光軸方向に分散が変化する媒質からなるレンズＧｅを有していることを特徴とするズームレンズ。
【請求項２１】
広角端と望遠端のズーム位置における全系のＦナンバーを各々Ｆｅｗ、Ｆｅｔ、望遠端の焦点距離をｆｅｔとするとき、
ｆｅｍ＝Ｆｅｗ／Ｆｅｔ×ｆｅｔ
なる式で表わされる焦点距離ｆｅｍと広角端のズーム位置において、軸上マージナル光線が前記レンズＧｅに入射するときの入射高を各々ｈｅｍ、ｈｅｗとするとき、
ｈｅｍ／ｈｅｗ＞１．１
なる条件を満たすことを特徴とする請求項２０に記載のズームレンズ。
【請求項２２】
前記レンズＧｅの物体側のレンズ面の面頂点からの光軸方向の位置をｘ、任意の２波長を各々λ１、λ２、該波長λ１、波長λ２における該レンズＧｅの媒質の屈折率を各々Ｎｅ１（ｘ）、Ｎｅ２（ｘ）とするとき、
λ１／λ２＞１．１
ｍａｘ｛Ｎｅ２（ｘ）−Ｎｅ１（ｘ）｝−ｍｉｎ｛Ｎｅ２（ｘ）−Ｎｅ１（ｘ）｝＞０．０００１
なる条件を満たすことを特徴とする請求項２０又は２１に記載のズームレンズ。
【請求項２３】
前記レンズＧｅの物体側のレンズ面の曲率半径をｒｅＧ１、該レンズＧｅの物体側のレンズ面の有効径をｅｅＧ１、該レンズＧｅの像側のレンズ面の曲率半径をｒｅＧ２、該レンズＧｅの像側のレンズ面の有効径をｅｅＧ２とするとき、
【数５】
2005043630.tif 000005
なる条件を満たすことを特徴とする請求項２０、２１又は２２に記載のズームレンズ。
【請求項２４】
前記レンズＧｅは負レンズであることを特徴とする請求項２０乃至２３の何れか１項に記載のズームレンズ。
【請求項２５】
請求項１乃至２４の何れか１項に記載のズームレンズを有することを特徴とする光学機器。
【手続補正２】
【補正対象書類名】明細書
【補正対象項目名】００２９
【補正方法】変更
【補正の内容】
【００２９】
【課題を解決するための手段】
請求項１の発明のズームレンズは、物体側より順に、正の屈折力の第１レンズ群、変倍作用を有する負の屈折力の第２レンズ群、変倍に伴う像面の変動を補正する第３レンズ群、変倍時に固定の正の屈折力の第４レンズ群からなるズームレンズにおいて、
該第２レンズ群は光軸方向に分散が変化する媒質からなるレンズＧａを有していることを特徴としている。
【手続補正３】
【補正対象書類名】明細書
【補正対象項目名】００３０
【補正方法】変更
【補正の内容】
【００３０】
請求項２の発明は請求項１の発明において、広角端と望遠端のズーム位置において、軸上光線が前記レンズＧａに入射するときの入射高を各々ｈａｗ、ｈａｔとするとき、
ｈａｔ／ｈａｗ＞２
なる条件を満たすことを特徴としている。
【手続補正４】
【補正対象書類名】明細書
【補正対象項目名】００３１
【補正方法】変更
【補正の内容】
【００３１】
請求項３の発明は請求項１又は２の発明において、前記レンズＧａの物体側のレンズ面の面頂点からの光軸方向の位置をｘ、任意の２波長を各々λａ１、λａ２、該波長λａ１、波長λａ２における該レンズＧａの媒質の屈折率を各々Ｎａ１（ｘ）、Ｎａ２（ｘ）とするとき、
λａ１／λａ２＞１．１
ｍａｘ｛Ｎａ２（ｘ）−Ｎａ１（ｘ）｝−ｍｉｎ｛Ｎａ２（ｘ）−Ｎａ１（ｘ）｝＞０．０００１
なる条件を満たすことを特徴としている。
【手続補正５】
【補正対象書類名】明細書
【補正対象項目名】００３２
【補正方法】変更
【補正の内容】
【００３２】
請求項４の発明は請求項１、２又は３の発明において、前記レンズＧａの物体側のレンズ面の曲率半径をｒａＧ１、該レンズＧａの物体側のレンズ面の有効径をｅａＧ１、該レンズＧａの像側のレンズ面の曲率半径をｒａＧ２、該レンズＧａの像側のレンズ面の有効径をｅａＧ２とするとき、
【数６】
2005043630.tif 000006
なる条件を満たすことを特徴としている。
【手続補正６】
【補正対象書類名】明細書
【補正対象項目名】００３３
【補正方法】変更
【補正の内容】
【００３３】
請求項５の発明は請求項１乃至４のいずれか１項の発明において、前記レンズＧａは負レンズであることを特徴としている。
【手続補正７】
【補正対象書類名】明細書
【補正対象項目名】００３４
【補正方法】変更
【補正の内容】
【００３４】
請求項６の発明は請求項２の発明において、軸上光線が前記レンズＧａに入射するとき入射高の最大値をｈａｍａｘとするとき、
ｈａｍａｘ／ｈａｔ＞１．０５
なる条件を満たすことを特徴としている。
【手続補正８】
【補正対象書類名】明細書
【補正対象項目名】００３５
【補正方法】変更
【補正の内容】
【００３５】
請求項７の発明のズームレンズは、物体側より順に、正の屈折力の第１レンズ群、変倍作用を有する負の屈折力の第２レンズ群、変倍に伴う像面の変動を補正する第３レンズ群、変倍時に固定の正の屈折力の第４レンズ群からなるズームレンズにおいて、
該第２レンズ群は光軸方向に分散が変化する媒質からなるレンズＧｂを有しており、広角端と望遠端のズーム位置において、軸外主光線が該レンズＧｂに入射するときの入射高を各々ｈｂｗ、ｈｂｔとするとき、
ｈｂｗ／ｈｂｔ＞２
なる条件を満たすことを特徴としている。
【手続補正９】
【補正対象書類名】明細書
【補正対象項目名】００３６
【補正方法】変更
【補正の内容】
【００３６】
請求項８の発明は請求項７の発明において、前記レンズＧｂの物体側のレンズ面の面頂点からの光軸方向の位置をｘ、任意の２波長を各々λｂ１、λｂ２、該波長λｂ１、波長λｂ２における該レンズＧｂの媒質の屈折率を各々Ｎｂ１（ｘ）、Ｎｂ２（ｘ）とするとき、
λｂ１／λｂ２＞１．１
ｍａｘ｛Ｎｂ２（ｘ）−Ｎｂ１（ｘ）｝−ｍｉｎ｛Ｎｂ２（ｘ）−Ｎｂ１（ｘ）｝＞０．０００１
なる条件を満たすことを特徴としている。
【手続補正１０】
【補正対象書類名】明細書
【補正対象項目名】００３７
【補正方法】変更
【補正の内容】
【００３７】
請求項９の発明は請求項７又は８の発明において、前記レンズＧｂの物体側のレンズ面の曲率半径をｒｂＧ１、該レンズＧｂの物体側のレンズ面の有効径をｅｂＧ１、該レンズＧｂの像側のレンズ面の曲率半径をｒｂＧ２、該レンズＧｂの像側のレンズ面の有効径をｅｂＧ２とするとき、
【数７】
2005043630.tif 000007
なる条件を満たすことを特徴としている。
【手続補正１１】
【補正対象書類名】明細書
【補正対象項目名】００３８
【補正方法】変更
【補正の内容】
【００３８】
請求項１０の発明は請求項７、８又は９の発明において、前記レンズＧｂは負レンズであることを特徴としている。
【手続補正１２】
【補正対象書類名】明細書
【補正対象項目名】００３９
【補正方法】変更
【補正の内容】
【００３９】
請求項１１の発明は請求項７乃至１０のいずれか１項の発明において、前記ズームレンズの変倍比をＺとし、広角端のズーム位置から該変倍比Ｚ１／４のズーム位置において、軸外主光線が前記レンズＧｂに入射するときの入射高をｈｂｚとするとき、
ｈｂｗ／ｈｂｚ＞１．１
なる条件を満たすことを特徴としている。
【手続補正１３】
【補正対象書類名】明細書
【補正対象項目名】００４０
【補正方法】変更
【補正の内容】
【００４０】
請求項１２の発明のズームレンズは、物体側より順に、正の屈折力の第１レンズ群、変倍作用を有する負の屈折力の第２レンズ群、変倍に伴う像面の変動を補正する第３レンズ群、変倍時に固定の正の屈折力の第４レンズ群からなるズームレンズにおいて、
該第１レンズ群は光軸方向に分散が変化する媒質からなるレンズＧｃを有していることを特徴としている。
【手続補正１４】
【補正対象書類名】明細書
【補正対象項目名】００４１
【補正方法】変更
【補正の内容】
【００４１】
請求項１３の発明は請求項１２の発明のズームレンズにおいて、広角端と望遠端のズーム位置において、軸上光線が前記レンズＧｃに入射するときの入射高を各々ｈｃｗ、ｈｃｔとするとき、
ｈｃｔ／ｈｃｗ＞８
なる条件を満たすことを特徴としている。
【手続補正１５】
【補正対象書類名】明細書
【補正対象項目名】００４２
【補正方法】変更
【補正の内容】
【００４２】
請求項１４の発明は請求項１２又は１３の発明において、前記レンズＧｃの物体側のレンズ面の面頂点からの光軸方向の位置をｘ、任意の２波長を各々λｃ１、λｃ２、該波長λｃ１、波長λｃ２における該レンズＧｃの媒質の屈折率を各々Ｎｃ１（ｘ）、Ｎｃ２（ｘ）とするとき、
λ１／λ２＞１．１
ｍａｘ｛Ｎｃ２（ｘ）−Ｎｃ１（ｘ）｝−ｍｉｎ｛Ｎｃ２（ｘ）−Ｎｃ１（ｘ）｝＞０．０００１
なる条件を満たすことを特徴としている。
【手続補正１６】
【補正対象書類名】明細書
【補正対象項目名】００４３
【補正方法】変更
【補正の内容】
【００４３】
請求項１５の発明は請求項１２、１３又は１４の発明において、前記レンズＧｃの物体側のレンズ面の曲率半径をｒｃＧ１、該レンズＧｃの物体側のレンズ面の有効径をｅｃＧ１、該レンズＧｃの像側のレンズ面の曲率半径をｒｃＧ２、該レンズＧｃの像側のレンズ面の有効径をｅｃＧ２とするとき、
【数８】
2005043630.tif 000008
なる条件を満たすことを特徴としている。
【手続補正１７】
【補正対象書類名】明細書
【補正対象項目名】００４４
【補正方法】変更
【補正の内容】
【００４４】
請求項１６の発明のズームレンズは、物体側より順に、正の屈折力の第１レンズ群、変倍作用を有する負の屈折力の第２レンズ群、変倍に伴う像面の変動を補正する第３レンズ群、変倍時に固定の正の屈折力の第４レンズ群からなるズームレンズにおいて、
該第１レンズ群は光軸方向に分散が変化する媒質からなるレンズＧｄを有しており、広角端と望遠端のズーム位置において、軸外主光線が該レンズＧｄに入射するときの入射高を各々ｈｄｗ、ｈｄｔとするとき、
ｈｄｗ／ｈｄｔ＞１
なる条件を満たすことを特徴としている。
【手続補正１８】
【補正対象書類名】明細書
【補正対象項目名】００４５
【補正方法】変更
【補正の内容】
【００４５】
請求項１７の発明は請求項１６の発明において、前記レンズＧｄの物体側のレンズ面の面頂点からの光軸方向の位置をｘ、任意の２波長を各々λ１、λ２、該波長λ１、波長λ２における該レンズＧｄの媒質の屈折率を各々Ｎｄ１（ｘ）、Ｎｄ２（ｘ）とするとき、
λ１／λ２＞１．１
ｍａｘ｛Ｎｄ２（ｘ）−Ｎｄ１（ｘ）｝−ｍｉｎ｛Ｎｄ２（ｘ）−Ｎｄ１（ｘ）｝＞０．０００１
なる条件を満たすことを特徴としている。
【手続補正１９】
【補正対象書類名】明細書
【補正対象項目名】００４６
【補正方法】変更
【補正の内容】
【００４６】
請求項１８の発明は請求項１６又は１７の発明において、前記レンズＧｄの物体側のレンズ面の曲率半径をｒｄＧ１、該レンズＧｄの物体側のレンズ面の有効径をｅｄＧ１、該レンズＧｄの像側のレンズ面の曲率半径をｒｄＧ２、該レンズＧｄの像側のレンズ面の有効径をｅｄＧ２とするとき、
【数９】
2005043630.tif 000009
なる条件を満たすことを特徴としている。
【手続補正２０】
【補正対象書類名】明細書
【補正対象項目名】００４７
【補正方法】変更
【補正の内容】
【００４７】
請求項１９の発明は請求項１６、１７又は１８の発明において、軸外主光線が前記レンズＧｄに入射するときの入射高の最大値をｈｄｍａｘとするとき、
ｈｄｍａｘ／ｈｄｗ＞１
なる条件を満たすことを特徴としている。
【手続補正２１】
【補正対象書類名】明細書
【補正対象項目名】００４８
【補正方法】変更
【補正の内容】
【００４８】
請求項２０の発明のズームレンズは、物体側より順に、正の屈折力の第１レンズ群、変倍作用を有する負の屈折力の第２レンズ群、変倍に伴う像面の変動を補正する第３レンズ群、変倍時に固定の正の屈折力の第４レンズ群からなるズームレンズにおいて、
該第３レンズ群は光軸方向に分散が変化する媒質からなるレンズＧｅを有していることを特徴としている。
【手続補正２２】
【補正対象書類名】明細書
【補正対象項目名】００４９
【補正方法】変更
【補正の内容】
【００４９】
請求項２１の発明は請求項２０の発明において、広角端と望遠端のズーム位置における全系のＦナンバーを各々Ｆｅｗ、Ｆｅｔ、望遠端の焦点距離をｆｅｔとするとき、
ｆｅｍ＝Ｆｅｗ／Ｆｅｔ×ｆｅｔ
なる式で表わされる焦点距離ｆｅｍと広角端のズーム位置において、軸上マージナル光線が前記レンズＧｅに入射するときの入射高を各々ｈｅｍ、ｈｅｗとするとき、
ｈｅｍ／ｈｅｗ＞１．１
なる条件を満たすことを特徴としている。
【手続補正２３】
【補正対象書類名】明細書
【補正対象項目名】００５０
【補正方法】変更
【補正の内容】
【００５０】
請求項２２の発明は請求項２０又は２１の発明において、前記レンズＧｅの物体側のレンズ面の面頂点からの光軸方向の位置をｘ、任意の２波長を各々λ１、λ２、該波長λ１、波長λ２における該レンズＧｅの媒質の屈折率を各々Ｎｅ１（ｘ）、Ｎｅ２（ｘ）とするとき、
λ１／λ２＞１．１
ｍａｘ｛Ｎｅ２（ｘ）−Ｎｅ１（ｘ）｝−ｍｉｎ｛Ｎｅ２（ｘ）−Ｎｅ１（ｘ）｝＞０．０００１
なる条件を満たすことを特徴としている。
【手続補正２４】
【補正対象書類名】明細書
【補正対象項目名】００５１
【補正方法】変更
【補正の内容】
【００５１】
請求項２３の発明は請求項２０、２１又は２２の発明において、前記レンズＧｅの物体側のレンズ面の曲率半径をｒｅＧ１、該レンズＧｅの物体側のレンズ面の有効径をｅｅＧ１、該レンズＧｅの像側のレンズ面の曲率半径をｒｅＧ２、該レンズＧｅの像側のレンズ面の有効径をｅｅＧ２とするとき、
【数１０】
2005043630.tif 000010
なる条件を満たすことを特徴としている。
【手続補正２５】
【補正対象書類名】明細書
【補正対象項目名】００５２
【補正方法】変更
【補正の内容】
【００５２】
請求項２４の発明は請求項２０乃至２３のいずれか１項の発明において、前記レンズＧｅは負レンズであることを特徴としている。
【手続補正２６】
【補正対象書類名】明細書
【補正対象項目名】００５３
【補正方法】変更
【補正の内容】
【００５３】
請求項２５の発明の光学機器は、請求項１乃至２４の何れか１項に記載のズームレンズを有することを特徴としている。
【手続補正２７】
【補正対象書類名】明細書
【補正対象項目名】００５４
【補正方法】削除
【補正の内容】
【手続補正２８】
【補正対象書類名】明細書
【補正対象項目名】００５５
【補正方法】削除
【補正の内容】
【手続補正２９】
【補正対象書類名】明細書
【補正対象項目名】００５６
【補正方法】削除
【補正の内容】
【手続補正３０】
【補正対象書類名】明細書
【補正対象項目名】００５７
【補正方法】削除
【補正の内容】
【手続補正３１】
【補正対象書類名】明細書
【補正対象項目名】００５８
【補正方法】削除
【補正の内容】
【手続補正３２】
【補正対象書類名】明細書
【補正対象項目名】００５９
【補正方法】削除
【補正の内容】
【手続補正３３】
【補正対象書類名】明細書
【補正対象項目名】００６０
【補正方法】削除
【補正の内容】
【手続補正３４】
【補正対象書類名】明細書
【補正対象項目名】００６１
【補正方法】削除
【補正の内容】
【手続補正３５】
【補正対象書類名】明細書
【補正対象項目名】００６２
【補正方法】削除
【補正の内容】
【手続補正３６】
【補正対象書類名】明細書
【補正対象項目名】００６３
【補正方法】削除
【補正の内容】
【手続補正３７】
【補正対象書類名】明細書
【補正対象項目名】００６４
【補正方法】削除
【補正の内容】
【手続補正３８】
【補正対象書類名】明細書
【補正対象項目名】００６５
【補正方法】削除
【補正の内容】
【手続補正３９】
【補正対象書類名】明細書
【補正対象項目名】００６６
【補正方法】削除
【補正の内容】
【手続補正４０】
【補正対象書類名】明細書
【補正対象項目名】００６７
【補正方法】削除
【補正の内容】